(57)【要約】【課題】プロジェクタ及びスクリーンの設置作業や収納作業の煩わしさを軽減することを可能とするとともに、スクリーンが設置されていない部屋でプロジェクタを使用する際においても、簡易組み立て型のスクリーンを別途準備しなくてもよいプロジェクションシステムを提供する。【解決手段】プロジェクタ１００と、スクリーン２１０及び昇降装置２２０を有するスクリーン装置２００と、収納ボックス３００と、電源部と、制御部とを備えるプロジェクションシステム１。制御部は、電源部から電源電流が供給されたときには、蓋部３２０が開くように開閉装置を制御し、スクリーン２１０を立ち上げるように昇降装置２２０を制御し、光源装置を点灯させるように光源装置駆動部を制御し、電源部からの電源電流の供給が止まったときには、スクリーン２１０を引き下ろすように昇降装置２２０を制御する機能を有する。【選択図】図２
2008203393.tif 000002
【特許請求の範囲】
【請求項１】
照明光束を射出する光源装置、前記光源装置からの光を画像情報に応じて変調して画像光を生成する電気光学変調装置、前記電気光学変調装置により生成された画像光を投写する投写光学系及び前記光源装置を点灯・消灯させる光源装置駆動部を有するプロジェクタと、
前記プロジェクタからの画像光が投写されるスクリーン及び前記スクリーンを昇降させる昇降装置を有するスクリーン装置と、
前記プロジェクタ及び前記スクリーン装置が載置される基体部及び前記基体部に対して開閉可能な蓋部を有し、前記プロジェクタ及び前記スクリーン装置を内部に収納可能な収納ボックスと、
前記蓋部の裏面側に配設され、前記蓋部が開いたときに前記プロジェクタからの画像光を前記スクリーンに向けて反射する反射ミラーと、
前記光源装置駆動部及び前記昇降装置の駆動を制御する制御部と、
電源プラグと、
前記電源プラグからの電源電流を前記制御部に供給する電源部とを備え、
前記制御部は、前記電源部から電源電流が供給されたときには、前記スクリーンを立ち上げるように前記昇降装置を制御し、前記光源装置を点灯させるように前記光源装置駆動部を制御し、前記電源部からの電源電流の供給が止まったときには、前記スクリーンを引き下ろすように前記昇降装置を制御する機能を有することを特徴とするプロジェクションシステム。
【請求項２】
請求項１に記載のプロジェクションシステムにおいて、
前記昇降装置は、
前記スクリーンの上端部に配置されるスクリーン保持部材と、
前記スクリーン保持部材を上下方向に移動させるために折り畳み自在に構成されたパンタグラフ機構と、
圧縮空気によって伸縮自在に構成され、かつ、圧縮空気が注入されたときには前記パンタグラフ機構を上方向に伸長させ、圧縮空気が吐出されたときには前記パンタグラフ機構を折り畳むように構成されてなる伸縮ロッドと、
前記伸縮ロッドに圧縮空気を注入する圧縮空気注入装置とを有し、
前記制御部は、前記電源部から電源電流が供給されたときには、前記伸縮ロッドに圧縮空気が注入されるように前記圧縮空気注入装置を制御し、前記電源部からの電源電流の供給が止まったときには、前記伸縮ロッドに注入された圧縮空気を吐出させる機能を有することを特徴とするプロジェクションシステム。
【請求項３】
請求項２に記載のプロジェクションシステムにおいて、
前記制御部は、前記電源部から電源電流が供給されたときには、前記スクリーンが所定高さに配置されるように、前記伸縮ロッドに注入する圧縮空気の量を制御する機能をさらに有することを特徴とするプロジェクションシステム。
【請求項４】
請求項１〜３のいずれかに記載のプロジェクションシステムにおいて、
前記収納ボックスには取手が配設され、
前記プロジェクタは、前記収納ボックスにおける重心位置近傍に配置されていることを特徴とするプロジェクションシステム。
【請求項５】
請求項１〜４のいずれかに記載のプロジェクションシステムにおいて、
前記プロジェクタの投写角度を調整することが可能なプロジェクタ投写角度調整装置をさらに備えることを特徴とするプロジェクションシステム。
【請求項６】
請求項１〜５のいずれかに記載のプロジェクションシステムにおいて、
前記反射ミラーの取付角度を調整することが可能な反射ミラー取付角度調整装置をさらに備えることを特徴とするプロジェクションシステム。
【請求項７】
請求項１〜６のいずれかに記載のプロジェクションシステムにおいて、
前記収納ボックスは、前記蓋部を電動で開閉させる開閉装置をさらに有し、
前記制御部は、前記電源部から電源電流が供給されたときには、前記蓋部が開くように前記開閉装置を制御する機能をさらに有することを特徴とするプロジェクションシステム。
【請求項８】
請求項１〜７のいずれかに記載のプロジェクションシステムにおいて、
前記収納ボックスには、前記蓋部が閉じた状態を維持することを可能とする施錠装置が配設されていることを特徴とするプロジェクションシステム。
【請求項９】
請求項１〜８のいずれかに記載のプロジェクションシステムにおいて、
前記収納ボックスには、前記蓋部が開いたときの、前記基体部に対する前記蓋部の姿勢を固定させる機能を有する蓋部固定機構が配設されていることを特徴とするプロジェクションシステム。
【発明の詳細な説明】
【技術分野】
【０００１】
本発明は、プロジェクションシステムに関する。
【背景技術】
【０００２】
従来、テーブル上などに載置されたプロジェクタからの画像光を、プロジェクタの前方に配設されたスクリーンに投写するプロジェクションシステムが知られている（例えば、特許文献１参照。）。
【０００３】
【特許文献１】特開平６−１４１２５７号公報
【発明の開示】
【発明が解決しようとする課題】
【０００４】
しかしながら、従来のプロジェクションシステムにおいては、使用後は邪魔にならないようにプロジェクタを片付けるのが通常であるため、プロジェクタを使用するたびに、プロジェクタからの画像光がスクリーンの所定位置に投写されるようプロジェクタの位置や投写角度などを毎回調整しなければならず、プロジェクタの設置作業が非常に面倒であるという問題がある。
【０００５】
また、従来のプロジェクションシステムにおいては、スクリーンが簡易組み立て型のスクリーンである場合、プロジェクタを使用するたびにスクリーンを組み立てたり片付けたりしなければならず、スクリーンの設置作業及び収納作業が面倒であるという問題がある。
【０００６】
なお、スクリーンが据付型のスクリーン（例えば、天井の近くに巻き取り可能な状態で据え付けられたスクリーン）である場合には、当該スクリーンが設置された部屋でしかプロジェクタを使用することができず不便である。
すなわち、従来のプロジェクションシステムにおいては、スクリーンが設置されていない部屋でプロジェクタを使用する際には、簡易組み立て型のスクリーンを別途準備しなければならないという問題がある。
【０００７】
そこで、本発明は、上記のような問題を解決するためになされたもので、プロジェクタ及びスクリーンの設置作業や収納作業の煩わしさを軽減することを可能とするとともに、スクリーンが設置されていない部屋でプロジェクタを使用する際においても、簡易組み立て型のスクリーンを別途準備しなくてもよいプロジェクションシステムを提供することを目的とする。
【課題を解決するための手段】
【０００８】
本発明のプロジェクションシステムは、照明光束を射出する光源装置、前記光源装置からの光を画像情報に応じて変調して画像光を生成する電気光学変調装置、前記電気光学変調装置により生成された画像光を投写する投写光学系及び前記光源装置を点灯・消灯させる光源装置駆動部を有するプロジェクタと、前記プロジェクタからの画像光が投写されるスクリーン及び前記スクリーンを昇降させる昇降装置を有するスクリーン装置と、前記プロジェクタ及び前記スクリーン装置が載置される基体部及び前記基体部に対して開閉可能な蓋部を有し、前記プロジェクタ及び前記スクリーン装置を内部に収納可能な収納ボックスと、前記蓋部の裏面側に配設され、前記蓋部が開いたときに前記プロジェクタからの画像光を前記スクリーンに向けて反射する反射ミラーと、前記光源装置駆動部及び前記昇降装置の駆動を制御する制御部と、電源プラグと、前記電源プラグからの電源電流を前記制御部に供給する電源部とを備え、前記制御部は、前記電源部から電源電流が供給されたときには、前記スクリーンを立ち上げるように前記昇降装置を制御し、前記光源装置を点灯させるように前記光源装置駆動部を制御し、前記電源部からの電源電流の供給が止まったときには、前記スクリーンを引き下ろすように前記昇降装置を制御する機能を有することを特徴とする。
【０００９】
すなわち、本発明のプロジェクションシステムは、プロジェクタとスクリーンとが収納ボックス内に一体となって配設された可搬型のプロジェクションシステムである。このため、本発明のプロジェクションシステムによれば、プロジェクタからの画像光がスクリーンの所定位置に投写されるよう、予めプロジェクタの位置や投写角度などを調整（フォーカス調整等も含む。）し、反射ミラーの取付位置や取付角度を調整し、さらにスクリーンの位置を調整した上で、これらの装置を収納ボックス内の所定位置に設置・固定しておけば、プロジェクタを使用するたびにプロジェクタの位置や投写角度などを毎回調整する必要もない。その結果、プロジェクタの設置作業の煩わしさを大幅に軽減することが可能となる。
【００１０】
また、本発明のプロジェクションシステムによれば、上記した昇降装置を備えるとともに、電源部からの電源電流の供給の有無によって、スクリーンを立ち上げたり引き下ろしたりするように昇降装置を制御する機能を有する制御部を備えるため、プロジェクタを使用するたびにスクリーンを組み立てたり片付けたりする手間を省くことができ、スクリーンの設置作業や収納作業の煩わしさを大幅に軽減することが可能となる。
【００１１】
また、本発明のプロジェクションシステムによれば、プロジェクタとスクリーンとが収納ボックス内に一体となって配設されているため、スクリーンが設置されていない部屋でプロジェクタを使用する際においても、簡易組み立て型のスクリーンを別途準備しなくてもよい。
【００１２】
したがって、本発明のプロジェクションシステムは、プロジェクタ及びスクリーンの設置作業や収納作業の煩わしさを軽減することを可能とするとともに、スクリーンが設置されていない部屋でプロジェクタを使用する際においても、簡易組み立て型のスクリーンを別途準備しなくてもよいプロジェクションシステムとなる。
【００１３】
また、本発明のプロジェクションシステムによれば、プロジェクタとスクリーンとの間の距離は固定されていることから、ズーム機構を設けない構成とすることも可能である。ズーム機構を設けない場合には、プロジェクションシステムの製造コストを低減することが可能となる。
【００１４】
また、本発明のプロジェクションシステムは、プロジェクタとスクリーンとが収納ボックス内に一体となって配設された可搬型のプロジェクションシステムであって、電源部からの電源電流の供給が止まったときには、スクリーンが引き下ろされた状態となって収納ボックスの内部に収納されるため、収納ボックスごとプロジェクタ及びスクリーンを持ち運ぶことができ、可搬性に優れるという利点がある。
【００１５】
また、本発明のプロジェクションシステムは、電源プラグをコンセントに差し込むことによって、スクリーンが自動的に立ち上がって投写可能な状態となり、プロジェクタが自動的に電源ＯＮの状態（光源装置が点灯して画像光を投写可能な状態）となる。また、電源プラグをコンセントから抜くことによって、プロジェクタが自動的に電源ＯＦＦの状態（光源装置が消灯して画像光が投写されない状態）となり、スクリーンが自動的に引き下ろされて収納状態となる。すなわち、本発明のプロジェクションシステムによれば、蓋部を開いて電源プラグをコンセントに差し込むだけの作業で、プロジェクタからの画像光をスクリーンに投写表示することができるようになり、電源プラグをコンセントから抜いて蓋部を閉じるだけの作業で、プロジェクションシステムを収納状態とすることが可能となる。また、プロジェクタの電源を入れたり切ったりするためのリモコンや、スクリーンを立ち上げたり引き下ろしたりするためのリモコンが不要となるため、非常に使い勝手のよいプロジェクションシステムとなる。
【００１６】
本発明のプロジェクションシステムにおいては、前記昇降装置は、前記スクリーンの上端部に配置されるスクリーン保持部材と、前記スクリーン保持部材を上下方向に移動させるために折り畳み自在に構成されたパンタグラフ機構と、圧縮空気によって伸縮自在に構成され、かつ、圧縮空気が注入されたときには前記パンタグラフ機構を上方向に伸長させ、圧縮空気が吐出されたときには前記パンタグラフ機構を折り畳むように構成されてなる伸縮ロッドと、前記伸縮ロッドに圧縮空気を注入する圧縮空気注入装置とを有し、前記制御部は、前記電源部から電源電流が供給されたときには、前記伸縮ロッドに圧縮空気が注入されるように前記圧縮空気注入装置を制御し、前記電源部からの電源電流の供給が止まったときには、前記伸縮ロッドに注入された圧縮空気を吐出させる機能を有することが好ましい。
【００１７】
本発明のプロジェクションシステムによれば、電源プラグをコンセントに差し込むことによって、圧縮空気注入装置から伸縮ロッドに対して圧縮空気が注入され、圧縮空気によって伸長した伸縮ロッドがパンタグラフ機構を上方向に伸長させることにより、スクリーン保持部材によって保持されたスクリーンが立ち上がって投写可能な状態となる。また、電源プラグをコンセントから抜くことによって、圧縮空気注入装置からの圧縮空気の注入が停止するとともに伸縮ロッドに注入されていた圧縮空気が吐出され、伸縮ロッドが元の状態（伸長する前の状態）に戻り、パンタグラフ機構が折り畳まれる結果、スクリーン保持部材によって保持されたスクリーンが引き下ろされて収納状態となる。
【００１８】
このため、本発明のプロジェクションシステムによれば、電源プラグを差したり抜いたりするだけの作業で、スクリーンを安全かつ確実に投写可能状態又は収納状態とすることが可能となる。
【００１９】
本発明のプロジェクションシステムにおいては、前記制御部は、前記電源部から電源電流が供給されたときには、前記スクリーンが所定高さに配置されるように、前記伸縮ロッドに注入する圧縮空気の量を制御する機能をさらに有することが好ましい。
【００２０】
このように構成することにより、スクリーンの位置を所定高さで維持することが可能となる。
【００２１】
本発明のプロジェクションシステムにおいては、前記収納ボックスには取手が配設され、前記プロジェクタは、前記収納ボックスにおける重心位置近傍に配置されていることが好ましい。
【００２２】
このように構成することにより、本発明のプロジェクションシステムの持ち運び易さをさらに向上することが可能となる。
【００２３】
本発明のプロジェクションシステムにおいては、前記プロジェクタの投写角度を調整することが可能なプロジェクタ投写角度調整装置をさらに備えることが好ましい。
【００２４】
このように構成することにより、スクリーンに投写される画像の位置を調整することが可能となる。
【００２５】
本発明のプロジェクションシステムにおいては、前記反射ミラーの取付角度を調整することが可能な反射ミラー取付角度調整装置をさらに備えることが好ましい。
【００２６】
このように構成することにより、スクリーンに投写される画像の位置を調整することが可能となる。
【００２７】
本発明のプロジェクションシステムにおいては、前記収納ボックスは、前記蓋部を電動で開閉させる開閉装置をさらに有し、前記制御部は、前記電源部から電源電流が供給されたときには、前記蓋部が開くように前記開閉装置を制御する機能をさらに有することが好ましい。
【００２８】
本発明のプロジェクションシステムによれば、電源プラグをコンセントに差し込むことによって、収納ボックスの蓋部が自動的に開くようになるため、さらに使い勝手のよいプロジェクションシステムとなる。
【００２９】
本発明のプロジェクションシステムにおいては、前記収納ボックスには、前記蓋部が閉じた状態を維持することを可能とする施錠装置が配設されていることが好ましい。
【００３０】
このように構成することにより、蓋部が開かないようにすることが可能となるため、プロジェクタ及びスクリーンの盗難を防止することができる。
【００３１】
本発明のプロジェクションシステムにおいては、前記収納ボックスには、前記蓋部が開いたときの、前記基体部に対する前記蓋部の姿勢を固定させる機能を有する蓋部固定機構が配設されていることが好ましい。
【００３２】
このように構成することにより、蓋部が開いたときには、基体部に対する蓋部の姿勢を固定させることが可能となるため、本発明のプロジェクションシステムをテーブル等に載置したときの安定性を向上することが可能となる。
【発明を実施するための最良の形態】
【００３３】
以下、本発明のプロジェクションシステムについて、図に示す実施の形態に基づいて説明する。
【００３４】
［実施形態］
図１は、電源プラグ４５０をコンセントから抜いた状態のときの、実施形態に係るプロジェクションシステム１を説明するために示す図である。図１（ａ）はプロジェクションシステム１の斜視図であり、図１（ｂ）はプロジェクションシステム１の側面図であり、図１（ｃ）はプロジェクションシステム１の正面図である。
図２は、電源プラグ４５０をコンセントに差し込んだ状態のときの、実施形態に係るプロジェクションシステム１を説明するために示す図である。図２（ａ）はプロジェクションシステム１の斜視図であり、図２（ｂ）はプロジェクションシステム１の側面図である。
なお、図１（ｂ）及び図２（ｂ）においては、プロジェクションシステム１の内部を詳細に説明するために、プロジェクションシステム１の側面の一部の図示を省略している。また、図１（ａ）及び図２（ａ）においては、電源ケーブル４５２は、実際の長さよりも短く示している。
【００３５】
図３は、スクリーン装置２００を説明するために示す図である。図３（ａ）及び図３（ｂ）はスクリーン２１０が投写可能状態であるときの図であり、図３（ａ）はスクリーン装置２００の背面図であり、図３（ｂ）はスクリーン装置２００の側面図である。図３（ｃ）及び図３（ｄ）はスクリーン２１０が収納状態であるときの図であり、図３（ｃ）はスクリーン装置２００の背面図であり、図３（ｄ）はスクリーン装置２００の側面図である。
【００３６】
図４は、実施形態に係るプロジェクションシステム１を説明するために示すブロック図である。
【００３７】
実施形態に係るプロジェクションシステム１は、図１及び図２に示すように、プロジェクタ１００と、スクリーン２１０を有するスクリーン装置２００と、プロジェクタ１００及びスクリーン装置２００を内部に収納可能な収納ボックス３００と、プロジェクタ１００からの画像光をスクリーン２１０に向けて反射する反射ミラー４００と、反射ミラー４００の取付角度を調整することが可能な反射ミラー取付角度調整装置４１０と、プロジェクタ１００の投写角度を調整することが可能なプロジェクタ投写角度調整装置４２０（図示せず。）と、電源プラグ４５０及び電源ケーブル４５２と、電源部５００（図４参照。）と、制御部６００（図４参照。）とを備えるプロジェクションシステムである。プロジェクタ１００は、収納ボックス３００における重心位置近傍に配置されている（図１（ｃ）及び図２（ａ）参照。）。
【００３８】
プロジェクタ１００は、図４に示すように、照明光束を射出する光源装置１１０と、光源装置１１０からの光を画像情報に応じて変調して画像光を生成する電気光学変調装置１２０（図示せず。）と、電気光学変調装置１２０により生成された画像光を投写する投写光学系１３０（図示せず。）と、光源装置１１０を点灯・消灯させる光源装置駆動部１４０とを有する。プロジェクタ１００からの画像光は、反射ミラー４００に向けてあおり投写されている（図２（ｂ）参照。）。
【００３９】
光源装置１１０としては、例えば、メタルハライドランプ、高圧水銀ランプ、超高圧水銀ランプ等を備える光源装置を用いることができる。なお、ＬＥＤなどの固体光源を備える光源装置を用いてもよい。
【００４０】
電気光学変調装置１２０としては、光源装置１１０からの光を画像情報に応じて液晶及び偏光板によって光変調することにより、画像を表す画像光を投写光学系１３０へと射出する機能を有する液晶装置や、光源装置１１０からの光を画像情報に応じて各画素に対応するマイクロミラーで反射することにより、画像を表す画像光を投写光学系１３０へと射出する機能を有する反射方向制御型光変調装置（例えば、ＤＭＤ（デジタルマイクロミラーデバイス）（ＴＩ社の商標））を用いることができる。
【００４１】
なお、プロジェクタ１００には、ＨＤＤレコーダー、ＤＶＤ再生装置などのＡＶ機器やパソコン等の画像出力装置が接続されており、画像出力装置から出力された画像情報が、画像光としてプロジェクタ１００からスクリーン２１０に投写表示されることとなる。この場合、画像出力装置は、収納ボックス３００内に常に配設されていてもよいし、プロジェクションシステム１とは別々に管理される外付けの装置であってもよい。
【００４２】
スクリーン装置２００は、プロジェクタ１００からの画像光が投写されるスクリーン２１０と、スクリーン２１０を昇降させる昇降装置２２０とを有する。スクリーン２１０が収納状態にあるときには、スクリーン２１０はスクリーン巻き軸２１２に巻き付けられた状態となる。
【００４３】
昇降装置２２０は、図３に示すように、スクリーン２１０の上端部に配置されるスクリーン保持部材２２２と、スクリーン保持部材２２２を上下方向に移動させるために折り畳み自在に構成されたパンタグラフ機構２２４と、圧縮空気によって伸縮自在に構成された伸縮ロッド２２６と、伸縮ロッド２２６に圧縮空気を注入する圧縮空気注入装置２２８（図示せず。）と、伸縮ロッド２２６から圧縮空気を吐出させる機能を有する弁２３０（図示せず。）とを有する。
【００４４】
伸縮ロッド２２６は、圧縮空気注入装置２２８から圧縮空気が注入されたときには、図３（ａ）及び図３（ｂ）に示すように、パンタグラフ機構２２４を上方向に伸長させるように構成されている。また、弁２３０が開放されて伸縮ロッド２２６から圧縮空気が吐出されたときには、図３（ｃ）及び図３（ｄ）に示すように、パンタグラフ機構２２４を折り畳むように構成されている。
【００４５】
収納ボックス３００は、図１及び図２に示すように、プロジェクタ１００及びスクリーン装置２００が載置される基体部３１０と、基体部３１０に対して開閉可能な蓋部３２０と、ヒンジ部３３０と、蓋部３２０を電動で開閉させる開閉装置３４０（図４参照。）と、蓋部３２０の表面側（収納ボックス３００の外部側）に配置される取手３５０と、電源プラグ４５０及び電源ケーブル４５２を収納ボックス３００内に収納するための電源プラグ収納部３６０と、収納ボックス３００に配置される施錠装置３７０（図示せず。）と収納ボックス３００に配置される蓋部固定機構３８０（図示せず。）とを有する。基体部３１０と蓋部３２０とは、ヒンジ部３３０を介して結合されている。
【００４６】
基体部３１０は、プロジェクタ１００が載置されるプロジェクタ載置部３１２と、スクリーン装置２００が載置されるスクリーン装置載置部３１４とを有する。
【００４７】
施錠装置３７０は、例えば、基体部３１０と蓋部３２０とが接する部分（図１（ｂ）の符号ａで示す位置）に配設されている。プロジェクションシステム１を使用しないときには、施錠装置３７０によって施錠することにより、蓋部３２０が閉じた状態を維持することが可能となる。なお、プロジェクションシステム１を使用するとき（電源プラグ４５０をコンセントに差し込むとき）には、収納ボックス３００の施錠は解除されている。
【００４８】
蓋部固定機構３８０は、蓋部３２０が開いたときの、基体部３１０に対する蓋部３２０の姿勢を固定させる機能を有する。具体的には、基体部３１０に対する蓋部３２０の姿勢が図２（ｂ）に示す状態となるように、ヒンジ部３３０を固定する。
【００４９】
反射ミラー４００は、蓋部３２０の裏面側（収納ボックス３００の内部側）に配設されており、蓋部３２０が開いたときにプロジェクタ１００からの画像光をスクリーン２１０に向けて反射するための反射部材である（図２（ｂ）参照。）。
【００５０】
電源部５００は、図４に示すように、電源プラグ４５０からの電源電流を後述する制御部６００に供給する機能を有する。
【００５１】
制御部６００は、光源装置駆動部１４０の駆動を制御するプロジェクタ制御機能と、昇降装置２２０の駆動を制御するスクリーン制御機能と、開閉装置３４０の駆動を制御する蓋部制御機能とを有する。
【００５２】
制御部６００は、プロジェクタ制御機能として、電源部５００から電源電流が供給されたときには、光源装置１１０を点灯させるように光源装置駆動部１４０を制御する機能を有する。
【００５３】
制御部６００は、スクリーン制御機能として、電源部５００から電源電流が供給されたときには、スクリーン２１０を立ち上げるように昇降装置２２０を制御し、電源部５００からの電源電流の供給が止まったときには、スクリーン２１０を引き下ろす（巻き取る）ように昇降装置２２０を制御する機能を有する。具体的には、制御部６００は、電源部５００に電源電流が供給されたときには、伸縮ロッド２２６に圧縮空気が注入されるように圧縮空気注入装置２２８を制御し、電源部５００からの電源電流の供給が止まったときには、伸縮ロッド２２６に注入された圧縮空気を吐出させるように弁２３０を開放する機能を有する。
【００５４】
また、制御部６００は、スクリーン制御機能として、電源部５００から電源電流が供給されたときには、スクリーン２１０が所定高さに配置されるように、伸縮ロッド２２６に注入する圧縮空気の量を制御する機能をさらに有する。
【００５５】
制御部６００は、蓋部制御機能として、電源部５００から電源電流が供給されたときには、蓋部３２０が開くように開閉装置３４０を制御する機能を有する。
【００５６】
上記した制御部６００のプロジェクタ制御機能、スクリーン制御機能及び蓋部制御機能により、図２に示すように、電源プラグ４５０をコンセントに差し込むことによって、収納ボックス３００の蓋部３２０が自動的に開き、スクリーン２１０が自動的に立ち上がって投写可能な状態となり、プロジェクタ１００が自動的に電源ＯＮの状態（光源装置１１０が点灯して画像光を投写可能な状態）となる。また、図１に示すように、電源プラグ４５０をコンセントから抜くことによって、プロジェクタ１００が自動的に電源ＯＦＦの状態（光源装置１１０が消灯して画像光が投写されない状態）となり、スクリーン２１０が自動的に引き下ろされて（巻き取られて）収納状態となる。なお、図１に示すプロジェクションシステム１においては、プロジェクタ１００が電源ＯＦＦの状態となり、スクリーン２１０が収納状態となった後で、蓋部３２０を閉じる作業を行っている。
【００５７】
以上のように、実施形態に係るプロジェクションシステム１は、プロジェクタ１００とスクリーン２１０とが収納ボックス３００内に一体となって配設された可搬型のプロジェクションシステムである。このため、実施形態に係るプロジェクションシステム１によれば、プロジェクタ１００からの画像光がスクリーン２１０の所定位置に投写されるよう、予めプロジェクタ１００の位置や投写角度などを調整（フォーカス調整等も含む。）し、反射ミラー４００の取付位置や取付角度を調整し、さらにスクリーン２１０の位置を調整した上で、これらの装置を収納ボックス３００内の所定位置に設置・固定しておけば、プロジェクタ１００を使用するたびにプロジェクタ１００の位置や投写角度などを毎回調整する必要もない。その結果、プロジェクタの設置作業の煩わしさを大幅に軽減することが可能となる。
【００５８】
また、実施形態に係るプロジェクションシステム１によれば、上記した昇降装置２２０を備えるとともに、電源部５００からの電源電流の供給の有無によって、スクリーン２１０を立ち上げたり引き下ろしたり（巻き取ったり）するように昇降装置２２０を制御する機能を有する制御部６００を備えるため、プロジェクタ１００を使用するたびにスクリーン２１０を組み立てたり片付けたりする手間を省くことができ、スクリーンの設置作業や収納作業の煩わしさを大幅に軽減することが可能となる。
【００５９】
また、実施形態に係るプロジェクションシステム１によれば、プロジェクタ１００とスクリーン２１０とが収納ボックス３００内に一体となって配設されているため、スクリーンが設置されていない部屋でプロジェクタを使用する際においても、簡易組み立て型のスクリーンを別途準備しなくてもよい。
【００６０】
したがって、実施形態に係るプロジェクションシステム１は、プロジェクタ及びスクリーンの設置作業や収納作業の煩わしさを軽減することを可能とするとともに、スクリーンが設置されていない部屋でプロジェクタを使用する際においても、簡易組み立て型のスクリーンを別途準備しなくてもよいプロジェクションシステムとなる。
【００６１】
また、実施形態に係るプロジェクションシステム１によれば、プロジェクタ１００とスクリーン２１０との間の距離は固定されていることから、ズーム機構を設けない構成とすることも可能である。ズーム機構を設けない場合には、プロジェクションシステムの製造コストを低減することが可能となる。
【００６２】
また、実施形態に係るプロジェクションシステム１は、プロジェクタ１００とスクリーン２１０とが収納ボックス３００内に一体となって配設された可搬型のプロジェクションシステムであって、電源部５００からの電源電流の供給が止まったときには、スクリーン２１０が引き下ろされた（巻き取られた）状態となって収納ボックス３００の内部に収納されるため、収納ボックス３００ごとプロジェクタ１００及びスクリーン２１０を持ち運ぶことができ、可搬性に優れるという利点がある。
【００６３】
また、実施形態に係るプロジェクションシステム１によれば、上述したように、電源プラグ４５０をコンセントに差し込むだけの作業で、プロジェクタ１００からの画像光をスクリーン２１０に投写表示することができるようになり、電源プラグ４５０をコンセントから抜いて蓋部３２０を閉じるだけの作業で、プロジェクションシステム１を収納状態とすることが可能となる。また、プロジェクタ１００の電源を入れたり切ったりするためのリモコンや、スクリーン２１０を立ち上げたり引き下ろしたりするためのリモコンが不要となるため、非常に使い勝手のよいプロジェクションシステムとなる。
【００６４】
実施形態に係るプロジェクションシステム１によれば、電源プラグ４５０をコンセントに差し込むことによって、図３（ａ）及び図３（ｂ）に示すように、圧縮空気注入装置２２８から伸縮ロッド２２６に対して圧縮空気が注入され、圧縮空気によって伸長した伸縮ロッド２２６がパンタグラフ機構２２４を上方向に伸長させることにより、スクリーン保持部材２２２によって保持されたスクリーン２１０が立ち上がって投写可能な状態となる。また、電源プラグ４５０をコンセントから抜くことによって、図３（ｃ）及び図３（ｄ）に示すように、圧縮空気注入装置２２８からの圧縮空気の注入が停止するとともに、弁２３０が開放されることによって伸縮ロッド２２６に注入されていた圧縮空気が吐出され、伸縮ロッド２２６が元の状態（伸長する前の状態）に戻り、さらにスクリーン２１０の自重やバネ等によってパンタグラフ機構２２４が折り畳まれる結果、スクリーン保持部材２２２によって保持されたスクリーン２１０が引き下ろされて収納状態となる。
【００６５】
このため、実施形態に係るプロジェクションシステム１によれば、電源プラグ４５０を差したり抜いたりするだけの作業で、スクリーン２１０を安全かつ確実に投写可能状態又は収納状態とすることが可能となる。
【００６６】
実施形態に係るプロジェクションシステム１においては、制御部６００は、電源部５００から電源電流が供給されたときには、スクリーン２１０が所定高さに配置されるように、伸縮ロッド２２６に注入する圧縮空気の量を制御する機能をさらに有するため、スクリーン２１０の位置を所定高さで維持することが可能となる。
【００６７】
実施形態に係るプロジェクションシステム１においては、収納ボックス３００には取手３５０が配設され、プロジェクタ１００は、収納ボックス３００における重心位置近傍に配置されている。これにより、プロジェクションシステム１の持ち運び易さをさらに向上することが可能となる。
【００６８】
実施形態に係るプロジェクションシステム１においては、反射ミラー４００の取付角度を調整することが可能な反射ミラー取付角度調整装置４１０と、プロジェクタ１００の投写角度を調整することが可能なプロジェクタ投写角度調整装置４２０とを備えるため、スクリーン２１０に投写される画像の位置を調整することが可能となる。
【００６９】
実施形態に係るプロジェクションシステム１によれば、収納ボックス３００は、蓋部３２０を電動で開閉させる開閉装置３４０をさらに有し、制御部６００は、電源部５００から電源電流が供給されたときには、蓋部３２０が開くように開閉装置３４０を制御する機能を有するため、電源プラグ４５０をコンセントに差し込むことによって、収納ボックス３００の蓋部３２０が自動的に開くようになり、さらに使い勝手のよいプロジェクションシステムとなる。
【００７０】
実施形態に係るプロジェクションシステム１においては、収納ボックス３００に配設された施錠装置３７０をさらに備えるため、蓋部３２０が開かないようにすることが可能となり、プロジェクタ１００及びスクリーン２１０の盗難を防止することができる。
【００７１】
実施形態に係るプロジェクションシステム１においては、収納ボックス３００には、蓋部３２０が開いたときの、基体部３１０に対する蓋部３２０の姿勢を固定させる機能を有する蓋部固定機構３８０が配設されているため、蓋部３２０が開いたときには、基体部３１０に対する蓋部３２０の姿勢を固定させることが可能となり、プロジェクションシステム１をテーブル等に載置したときの安定性を向上することが可能となる。
【００７２】
以上、本発明のプロジェクションシステムを上記の実施形態に基づいて説明したが、本発明は上記の実施形態に限定されるものではなく、その要旨を逸脱しない範囲において種々の態様において実施することが可能であり、例えば次のような変形も可能である。
【００７３】
（１）上記実施形態に係るプロジェクションシステム１においては、スクリーン２１０を立ち上げたり引き下ろしたりするための昇降装置として、パンタグラフ機構２２４などから構成された昇降装置２００を用いたが、本発明はこれに限定されるものではなく、他の手段（モータ等）によって構成された昇降装置を用いてもよい。
【００７４】
（２）上記実施形態に係るプロジェクションシステム１においては、スクリーン２１０をスクリーン巻き軸２１２に巻き付けることによって収納状態としていたが、本発明はこれに限定されるものではなく、スクリーンを折り畳むことによって収納状態としてもよい。
【００７５】
（３）上記実施形態に係るプロジェクションシステム１においては、収納ボックス３００は、蓋部３２０を電動で開閉させる開閉装置３４０を備えているが、本発明はこれに限定されるものではなく、開閉装置３４０を備えていなくてもよい。この場合は、蓋部３２０を手動で開閉すればよい。
【００７６】
（４）本発明は、電源プラグ４５０をコンセントに差したりコンセントから抜いたりすることによって、プロジェクションシステム１を使用可能な状態としたり収納状態としたりするものであるが、本発明はこれに限定されるものではない。例えば、プロジェクションシステム１に電源スイッチを設けて、当該電源スイッチのＯＮ／ＯＦＦを切り替えることによって、プロジェクションシステム１を使用可能な状態としたり収納状態としたりするものであってもよい。この場合には、電源スイッチをＯＮにすることによって、収納ボックス３００の蓋部３２０が自動的に開き、スクリーン２１０が自動的に立ち上がって投写可能な状態となり、プロジェクタ１００が自動的に電源ＯＮの状態となる。また、電源スイッチをＯＦＦにすることによって、プロジェクタ１００が自動的に電源ＯＦＦの状態となり、スクリーン２１０が自動的に引き下ろされて収納状態となり、さらに電源プラグがコンセントに差し込まれていることから、収納ボックスの蓋部３２０が自動的に閉まる。
【図面の簡単な説明】
【００７７】
【図１】電源プラグ４５０をコンセントから抜いた状態のときの、実施形態に係るプロジェクションシステム１を説明するために示す図。
【図２】電源プラグ４５０をコンセントに差し込んだ状態のときの、実施形態に係るプロジェクションシステム１を説明するために示す図。
【図３】スクリーン装置２００を説明するために示す図。
【図４】実施形態に係るプロジェクションシステム１を説明するために示すブロック図。
【符号の説明】
【００７８】
１…プロジェクションシステム、１００…プロジェクタ、１１０…光源装置、１４０…光源装置駆動部、２００…スクリーン装置、２１０…スクリーン、２１２…スクリーン巻き軸、２２０…昇降装置、２２２…スクリーン保持部材、２２４…パンタグラフ機構、２２６…伸縮ロッド、２２８…圧縮空気注入装置、３００…収納ボックス、３１０…基体部、３１２…プロジェクタ載置部、３１４…スクリーン装置載置部、３２０…蓋部、３３０…ヒンジ部、３４０…開閉装置、３５０…取手、３６０…電源プラグ収納部、４００…反射ミラー、４１０…反射ミラー取付角度調整装置、４５０…電源プラグ、４５２…電源ケーブル、５００…電源部、６００…制御部
【図３】
2008203393.tif 000003
【図４】
2008203393.tif 000004
【図１】
2008203393.tif 000005
【図２】
2008203393.tif 000006